(57)【要約】【課題】様々な場所に設置することができ、且つ、ハイインピーダンス伝送により複数の１２面体スピーカを駆動するスピーカ装置（音響装置）を低コストで提供する。【解決手段】１２枚の５角形パネルを結合した１２面体形状を有し、少なくともｎ(ｎ≧７)枚の５角形パネル面１８の略中央部にスピーカユニット設置孔１６を有するスピーカボックス１４と、前記スピーカユニット設置孔１６のうち少なくともｎ−１以上のスピーカユニット設置孔１６を利用して設置・固定されたスピーカユニットと、残りの前記スピーカユニット設置孔１６のうち少なくとも１以上のスピーカユニット設置孔１６を利用して設置・固定されたトランス装置２０とを備える。【選択図】図１
2007312035.tif 000002
【特許請求の範囲】
【請求項１】
１２枚の５角形パネルを結合した１２面体形状を有し、少なくともｎ(ｎ≧７)枚の５角形パネル面の略中央部にスピーカユニット設置孔を有するスピーカボックスと、
前記スピーカユニット設置孔のうち少なくともｎ−１以上のスピーカユニット設置孔を利用して設置・固定されたスピーカユニットと、
残りの前記スピーカユニット設置孔のうち少なくとも１以上のスピーカユニット設置孔を利用して設置・固定されたトランス装置とを備える
ことを特徴とする１２面体スピーカ装置。
【請求項２】
請求項１において、
前記トランス装置は、前記スピーカボックス内部に全部が収納されるように装着されている
ことを特徴とする１２面体スピーカ装置。
【請求項３】
請求項１又は２において、
前記スピーカユニットは、いずれか１の５角形パネル面におけるスピーカユニット設置孔、及び、該１の５角形パネル面に隣接する５つの５角形パネル面における前記スピーカユニット設置孔に設置・固定されている
ことを特徴とする１２面体スピーカ装置。
【請求項４】
請求項１又は２において、
前記スピーカユニットは、互いに隣り合う３つの５角形パネル面における前記スピーカユニット設置孔、及び、前記３つの５角形パネル面に更に隣接する６つの５角形パネル面における前記スピーカユニット設置孔に設置・固定されている
ことを特徴とする１２面体スピーカ装置。
【請求項５】
請求項１又は２において、
前記スピーカユニットは、互いに隣り合う３つの５角形パネル面における前記スピーカユニット設置孔、及び、前記３つの５角形パネル面に更に隣接する６つの５角形パネル面のうちそれぞれが隣接していない３つの５角形パネル面における前記スピーカユニット設置孔に設置固定されている
ことを特徴とする１２面体スピーカ装置。
【発明の詳細な説明】
【技術分野】
【０００１】
本発明は、１２面体形状のスピーカボックスを有してなる１２面体スピーカ装置に関する。
【背景技術】
【０００２】
大教室内の音響設備として、又、スタジアム等の大規模なスポーツ施設のように広域にわたって用いられる音響設備として、複数のスピーカ装置を並列的に接続する場合には、必要となる伝送線の長さが必然的に長くなり、それに伴う電力の損失は避けられない。このような不都合を解消するべく、特許文献１にも記載されるように、ハイインピーダンスで音声信号を伝達するハイインピーダンス伝送が行なわれている。ハイインピーダンス伝送では、ハイインピーダンス化された音声信号を、使用するスピーカ２に合わせて変換するためのトランス３が必要となる（図６参照）。
【０００３】
一方、特許文献２に記載されるように、１２個のスピーカユニット４を備えた１２面体スピーカＳＰ２も高級な音響機器として利用されている（図７参照）。
【０００４】
【特許文献１】特開２００３−３３３６９２号公報
【特許文献２】特開２００５−５１６９４号公報
【発明の開示】
【発明が解決しようとする課題】
【０００５】
略３６０°にわたって優れた指向特性を有する１２面体スピーカを複数用いて、ハイインピーダンス伝送により広い範囲に均質な音（音圧）を伝送するという着想に想到した発明者は、トランスが存在することの問題点に辿り着いた。即ち、通常、トランスはスピーカボックス毎にスピーカと別体として構成され、配置される。これは、スピーカを設置するためには、その近傍にトランスを設置する場所が確保されている必要があることを意味し、それに伴い設置場所が限定されるという点である。
【０００６】
一方、優れた指向特性を備える１２面体のスピーカであるが設置場所は多種多様であり、たとえば天井や壁面、更には床面に非常に接近して、あるいは接触して、あるいは一部埋め込まれて配置されることも多い。このような場合には、壁面等の方向には、音を伝達すべき対象である人間などが存在していないことから必ずしもスピーカユニットを設ける必要はなく、又、壁面等に向いているスピーカユニットのうちいくつかを省略した場合でも、残りのスピーカユニットで十分な指向特性を確保することが可能である。
【０００７】
本発明は、これらの問題点を、１２面体スピーカの優れた指向特性を犠牲にすることなく、同時に解決するものである。
【課題を解決するための手段】
【０００８】
本発明は、１２枚の５角形パネルを結合した１２面体形状を有し、少なくともｎ(ｎ≧７)枚の５角形パネル面の略中央部にスピーカユニット設置孔を有するスピーカボックスと、前記スピーカユニット設置孔のうち少なくともｎ−１以上のスピーカユニット設置孔を利用して設置・固定されたスピーカユニットと、残りの前記スピーカユニット設置孔のうち少なくとも１以上のスピーカユニット設置孔を利用して設置・固定されたトランス装置とを備える構成により、上記課題を解決したものである。
【０００９】
これにより、様々な場所に設置することができ、且つ、ハイインピーダンス伝送により複数の１２面体スピーカを駆動するスピーカ装置（音響装置）を低コストで提供することができる。
【００１０】
又、前記トランス装置は、前記スピーカボックス内部に全部が収納されるように装着されている。
【００１１】
これにより、スピーカ装置全体として非常にコンパクトに構成でき、更なる設置可能範囲が拡大する。
【００１２】
又、前記スピーカユニットは、いずれか１の５角形パネル面におけるスピーカユニット設置孔、及び、該１の５角形パネル面に隣接する５つの５角形パネル面における前記スピーカユニット設置孔に設置固定されているようにしてもよい。
【００１３】
これにより、優れた指向特性を維持することができる。
【００１４】
又、前記スピーカユニットは、互いに隣り合う３つの５角形パネル面における前記スピーカユニット設置孔、及び、前記３つの５角形パネル面に更に隣接する６つの５角形パネル面における前記スピーカユニット設置孔に設置固定されているようにしてもよい。
【００１５】
これにより、優れた指向特性を維持することができる。
【００１６】
又、前記スピーカユニットは、互いに隣り合う３つの５角形パネル面における前記スピーカユニット設置孔、及び、前記３つの５角形パネル面に更に隣接する６つの５角形パネル面のうちそれぞれが隣接していない３つの５角形パネル面における前記スピーカユニット設置孔に設置固定されているようにしてもよい。
【００１７】
これにより、優れた指向特性を維持することができる。
【発明の効果】
【００１８】
本発明により、様々な場所に設置することができ、且つ、ハイインピーダンス伝送により複数の１２面体スピーカを駆動するスピーカ装置を低コストで提供することができる。
【発明を実施するための最良の形態】
【００１９】
以下添付図面を用いて、本発明の実施形態について詳細に説明する。
【００２０】
まず図１に記載の１２面体スピーカ装置（１２面体音響装置）の構成を説明する。
【００２１】
１２面体スピーカ装置ＳＰ１００は、１２枚の５角形パネルを結合した１２面体形状のスピーカボックス１４と、１２枚の５角形パネル面１８の略中央部に設けられたスピーカユニット設置孔１６に設置されたスピーカユニット１５と、トランス２０とで主に構成されている。
【００２２】
スピーカボックス１４は中空とされており、例えばアルミニウム等の材料で構成されている。勿論、必ずしもこれに限られるものではなく、例えば、鉄材やマグネシウム、ステンレス等の金属類をはじめ、樹脂類、更には木材等を使用することも可能である。鉄材によれば特に堅牢性向上に寄与し、マグネシウムによれば特に堅牢性及び軽量化に寄与し、ステンレスによれば耐腐食性に寄与し、樹脂によれば特に軽量化及びコスト低減に寄与し、木材によれば、軽量化や意匠性の向上に寄与するという特徴及び利点がある。製造コストを考慮すれば、アルミニウムなどのダイキャスト成形やサンドキャスト成形、プレス成形、又は樹脂の射出形成、ブロー形成、インジェクション成形などが好ましい。
【００２３】
スピーカユニット１５は、固定ネジ１９によってスピーカボックス１４のスピーカユニット設置孔１６に設置固定されている。但し、固定方法はこれに限るものでなく、例えば、接着材により接着固定してもよいし、スピーカユニット１５にツメ状の突起物を設けて、スピーカユニット設置孔１６に嵌合固定してもよい。本実施形態では計６個(ｎ−１)のスピーカユニット１５が設置固定されている（配置についての詳細は後述）。
【００２４】
又、スピーカボックス１４の内部には、ハイインピーダンス伝送により伝送された音声信号をスピーカユニット１５の特性に合わせて適宜調整するためのトランス２０が設けられている。このトランス２０から各スピーカユニット１５へは図示せぬ配線により接続されており、調整された音声信号を各スピーカユニット１５へと伝送可能とされている。又、このトランス２０は、図１においては全部がスピーカボックス１４の内部に収容されて構成されている。このようにすることで、スピーカ装置全体を非常にコンパクトに構成できるが、トランス自身の大きさや、スピーカボックス１４内部の容量確保等のために一部がスピーカボックス１４の外部へと突出していてもよい。又、トランス２０は、スピーカユニット１５を装着する代わりにスピーカユニット設置孔１６を利用して設置固定されている。トランス２０の配置については後述する。
【００２５】
なお、符号２２は、図示せぬアンプ部へと繋がる配線である。
【００２６】
又、この１２面体スピーカ装置ＳＰ１００は、例えば天井等に取付けられることを想定したものであり、トランス取付側が天井面等に接近して、あるいは接触して、あるいは埋め込まれて設置されているものである。埋め込んで設置する場合は、例えばＬ−Ｌ線程度にまで埋め込んで設置してもよい。
【００２７】
続いて図２を用いて、ＳＰ１００におけるスピーカユニット１５、及びトランス２０の位置関係について説明する。
【００２８】
ＳＰ１００では、少なくとも７(ｎ)つの５角形パネル面１８（１８Ａ、１８Ｂ、１８Ｃ、１８Ｄ、１８Ｅ、１８Ｆ、１８Ｊ）にスピーカユニット設置孔１６が設けられている。そのうちの少なくとも１つ（１８Ｊ）にはトランス２０が設置され、少なくとも６(ｎ−１)つ（１８Ａ〜１８Ｆ）にはスピーカユニット１５が設置されている。ＳＰ１００ではその他の５角形パネル面１８Ｇ、１８Ｈ、１８Ｉ、１８Ｋ、１８Ｌにはスピーカユニット設置孔１６は設けられていないが、この設けられていないこと自体は必須の要件ではない。
【００２９】
ＳＰ１００では、いずれか１の５角形パネル面１８Ｃにおけるスピーカユニット設置孔１６と、この５角形パネル面１８Ｃに隣接する５つの５角形パネル面１８Ａ、１８Ｂ、１８Ｄ、１８Ｅ、１８Ｆにおけるスピーカユニット設置孔１６に、それぞれスピーカユニット１５が設置固定されている。又、５角形パネル面１８Ｃに対してちょうど裏側に位置する５角形パネル面１８Ｊにおけるスピーカユニット設置孔１６には、トランス２０が設置されている。
【００３０】
ここでのトランス２０の位置はあくまでも一例であり、その他の５角形パネル面１８Ｇ、１８Ｈ、１８Ｉ、１８Ｋ、１８Ｌの位置に設置固定されていてもよい。
【００３１】
続いて１２面体スピーカ装置ＳＰ１００の作用について説明する。
【００３２】
図示せぬアンプ部から配線２２を通してハイインピーダンス伝送により伝送された音圧信号は、スピーカボックス１４内部に収容されるトランス２０の働きによって適宜調整され、又、各スピーカユニット１５へと伝えられる。このとき、トランス２０が装着されている５角形パネル面１８Ｊは、天井面あるいは壁面あるいは床面等に接近して、あるいは接触して、あるいは埋め込まれている。即ち、トランス２０の位置する５角形パネル面１８Ｊをはじめ、この５角形パネル面１８Ｊに隣接する５つの５角形パネル面１８Ｇ、１８Ｈ、１８Ｉ、１８Ｋ、１８Ｌが向いている方向（各パネル面からの垂直方向）には、聴き手（人間等）は存在していないことがほとんどである。
【００３３】
よって、これらの５角形パネル面１８Ｇ、１８Ｈ、１８Ｉ、１８Ｊ、１８Ｋ、１８Ｌ側にスピーカユニット１５が設置されていなくとも聴き手が存在している方向へは指向持性に優れた均質な音を伝えることが十分に可能である。又、このようにスピーカユニット１５を省略することで、装置全体の製造コストも大きく削減できる。又、スピーカボックス１４毎に内部にトランス２０を設けているため、別途トランス２０の設置場所を考慮する必要もなく、幅広い設置場所に対応できる。又、トランス２０の取付けは、スピーカユニット１５を設置するためのスピーカユニット設置孔１６を利用して設置固定しているため、別途新たな設置部を設ける必要もなく、この点でもコスト低下に寄与している。
【００３４】
更に、ハイインピーダンス伝送と複数の１２面体スピーカ装置ＳＰ１００を組み合わせることで、簡易な構成で広範囲にわたって均質な音を提供することが可能となっている。
【００３５】
次に、図３により、本発明の他の実施形態である１２面体スピーカ装置ＳＰ２００について説明する。
【００３６】
この１２面体スピーカ装置ＳＰ２００は、前述したＳＰ１００と比べ、スピーカユニット１５の配置及びトランス２０の配置が異なる点並びに取付部１９が設けられ、この取付部１９の側に該取付部１９を利用して壁面等が位置するように設置される点を除いては共通している。共通する部分については構成、作用共に説明を省略する。
【００３７】
ＳＰ２００では９つのスピーカユニット１５と、１つのトランス２０が設置固定されている。それぞれの配置は図４に示すようになっている。
【００３８】
ここでは互いに隣り合う３つの５角形パネル面１８Ｄ、１８Ｈ、１８Ｌにおけるスピーカユニット設置孔１６、及びこの３つの５角形パネル面１８Ｄ、１８Ｈ、１８Ｌに更に隣接する６つの５角形パネル面１８Ｂ、１８Ｃ、１８Ｆ、１８Ｇ、１８Ｊ、１８Ｋにおけるスピーカユニット設置孔１６に計９個のスピーカユニット１５が設置固定されている。
【００３９】
トランス２０は残る３つのパネル面１８Ａ、１８Ｅ、１８Ｉのいずれに設置されていても差し支えない。
【００４０】
このように９個のスピーカユニットを取付部１９に接する５角形パネル面１８Ａ、１８Ｅ、１８Ｉ以外に設置することで更に無指向性に優れたスピーカ装置を提供できる。
【００４１】
又、このとき、これ程までに無指向性を求めないのであれば、たとえば、図５に示すように、互いに隣り合う３つの５角形パネル面１８Ｄ、１８Ｈ、１８Ｌにおけるスピーカユニット設置孔１６、及びこれら３つの５角形パネル面１８Ｄ、１８Ｈ、１８Ｌに更に隣り合う６つの５角形パネル面１８Ｂ、１８Ｃ、１８Ｆ、１８Ｇ、１８Ｊ、１８Ｋのうち、それぞれが隣接していない３つの５角形パネル面１８Ｃ、１８Ｇ、１８Ｋにおけるスピーカユニット設置孔１６に計６個のスピーカユニット１５を設置するような構成としてもよい。勿論、この３つの５角形パネル面の組合せを１８Ｂ、１８Ｆ、１８Ｊとして構成してもよい。
【産業上の利用可能性】
【００４２】
スポーツ施設をはじめ、大学や病院など周囲に等しく音声を伝達する必要性のある場所に広く設置することが可能である。
【図面の簡単な説明】
【００４３】
【図１】本発明の実施形態の一例である１２面体スピーカＳＰ１００の斜視図
【図２】図１における１２面体スピーカＳＰ１００の展開図
【図３】本発明の他の実施形態の一例である１２面体スピーカＳＰ２００の斜視図
【図４】図３における１２面体スピーカＳＰ２００の展開図
【図５】ＳＰ２００のスピーカユニットの他の配置例
【図６】特許文献１に記載されるスピーカ装置
【図７】特許文献２に記載される１２面体スピーカの斜視図
【符号の説明】
【００４４】
ＳＰ１００…１２面体スピーカ
１４…スピーカボックス
１５…スピーカユニット
１６…スピーカユニット設置孔
１８…５角形パネル面
２０…トランス
２２…配線
【図１】
2007312035.tif 000003
【図２】
2007312035.tif 000004
【図３】
2007312035.tif 000005
【図４】
2007312035.tif 000006
【図５】
2007312035.tif 000007
【図６】
2007312035.tif 000008
【図７】
2007312035.tif 000009